(57)【要約】【課題】指向性のある光源を用いた照明装置において、光源のグレアを緩和するとともに、光源からの光を配光して照度がそれ程必要でない領域への光を照度が必要な領域へ照射して光を有効に活用することができる照明装置を提供する。【解決手段】指向性のあるＬＥＤモジュール２，２…を備える照明装置において、ＬＥＤモジュール２，２…からの光が照射される照射面にて必要とされる照度に応じて夫々設定された光透過率の複数の拡散板５１，５２をＬＥＤモジュール２，２…の指向方向に設けて、ＬＥＤモジュール２，２…からの光を拡散板５１，５２にて夫々所定の割合にて一部を透過させ、残部を反射させている。これにより、照度がそれ程必要でない領域への光を照度が必要な領域へ照射することができ、光を有効に活用することが可能となる。【選択図】図３
2009048955.tif 000002
【特許請求の範囲】
【請求項１】
指向性のある光源と、
該指向性のある光源のグレアを緩和するとともに、光源からの光の配光を制御する配光部材とを備えてなることを特徴とする照明装置。
【請求項２】
指向性のある光源と、
該光源の指向方向に設けられ、前記光源からの光の配光を制御する光透過率の異なる領域を有する配光部材とを備えてなることを特徴とする照明装置。
【請求項３】
指向性のある光源と、
該光源の指向性のある光を照射面にて所望の状態に明暗を生じさせるべく配光を制御する配光部材とを備えてなることを特徴とする照明装置。
【請求項４】
指向性のある光源を備える照明装置において、
前記光源の指向方向に設けられ、該光源からの光を反射又は屈折させることにより配光する配光部材を備えることを特徴とする照明装置。
【請求項５】
前記配光部材は、光透過率又は屈折率が異なる複数の領域を有しており、前記光透過率又は屈折率は、前記光源からの光が照射される照射面にて必要とされる照度に応じて夫々設定してあることを特徴とする請求項１から４の何れか一つに記載の照明装置。
【請求項６】
前記配光部材は前記光源からの光を一部反射可能に構成してあり、前記配光部材に対向し、該配光部材にて反射された光を反射する反射体を備えることを特徴とする請求項１から５の何れか一つに記載の照明装置。
【請求項７】
前記配光部材は、前記光源からの光を拡散させるように構成してあることを特徴とする請求項１から６の何れか一つに記載の照明装置。
【請求項８】
前記配光部材は光拡散性を有する拡散板又は拡散シートからなることを特徴とする請求項７に記載の照明装置。
【発明の詳細な説明】
【技術分野】
【０００１】
本発明は、光源からの光を配光可能に構成された照明装置に関する。
【背景技術】
【０００２】
近年、従来の白熱電球及び蛍光灯に加えて、低消費電力かつ長寿命である発光ダイオード（以下、ＬＥＤという）を光源とした照明装置が用いられている。
【０００３】
また、照明装置は、室内及び室外の様々な場所に設置されており、照明装置の設置される場所及び／又は用途に応じて、光の配光特性を制御することが求められている。特に、ＬＥＤのように指向性の強い光源を用いた照明装置においては、光の指向性により照射範囲が狭く限定されることから、光の配光特性の制御は重要である。
【０００４】
下記特許文献１に記載の従来の照明器具は、トイレに取り付けられた白熱電球を光源１０１とした照明器具１００であり、光源１０１を包囲するカバー１０２に少なくとも２種類の光透過率を持つ部分１０２ａ，１０２ｂを設けている（図８参照）。トイレの入口に近い部分にのみ光透過率の低い部分１０２ｂを設けることにより、トイレ室内の明るさを確保した上で、トイレ入室時の眩しさを緩和するものである。
【特許文献１】特開２００３−２８１９２３号公報
【発明の開示】
【発明が解決しようとする課題】
【０００５】
しかし、特許文献１に記載の従来の照明器具は、白熱電球のような光の指向性の弱い光源を用いた照明装置であり、２種類の光透過率の異なる領域を有するカバーは光源を覆うようなものでないため、カバーの光透過率の低い部分に対応するトイレ入口といった特定の場所においてのみ、使用者の眩しさを緩和することが可能である。特に、部屋の明るさを確保するため、光源の鉛直方向にはカバーが設けられておらず、ＬＥＤのように指向性の強い光源を採用した場合においては、依然として使用者にグレア（眩しさ）を感じさせることになり、使用者に不快感を与えることになるという問題があった。
【０００６】
本発明は斯かる事情に鑑みてなされたものであり、ＬＥＤのように指向性のある光源を用いた照明装置において、光源の指向方向（指向性の強い方向）に、例えば拡散板等からなる配光部材を設けて使用者にグレアを感じさせないようにするとともに、当該配光部材により光源からの光を配光を制御することにより、照度がそれ程必要でない領域への光を照度が必要な領域へ照射して光を有効に活用することを可能とする照明装置を提供することを目的としている。
【課題を解決するための手段】
【０００７】
本発明に係る照明装置は、指向性のある光源と、指向性のある光源のグレアを緩和するとともに、光源からの光の配光を制御する配光部材とを備えてなることを特徴とする。
【０００８】
本発明にあっては、配光部材により指向性のある光源のグレアを緩和するとともに、該光源からの光の配光を制御しており、使用者にグレアを感じさせないようにすることができるとともに、配光部材を適切に予め設定して光源からの光を適切に配光することにより、照度がそれ程必要でない領域への光を照度が必要な領域へ照射することができ、光を有効に活用することが可能となる。
【０００９】
本発明に係る照明装置は、指向性のある光源と、光源の指向方向に設けられ、光源からの光の配光を制御する光透過率の異なる領域を有する配光部材とを備えてなることを特徴とする。
【００１０】
本発明にあっては、指向性のある光源からの光を、光源の指向方向に設けられた光透過率の異なる領域を有する配光部材に入射させ、入射した光を領域毎に所定の割合にて配光部材から出射させると共に、残りの光を配光部材にて反射させている。照射面において必要とされる照度に応じて、配光部材の対応する領域の光透過率を適切に予め設定することにより、必要に応じた適切な照明が可能となる。
【００１１】
本発明に係る照明装置は、指向性のある光源と、光源の指向性のある光を照射面にて所望の状態に明暗を生じさせるべく配光を制御する配光部材とを備えてなることを特徴とする。
【００１２】
本発明にあっては、指向性のある光源からの光の配光を配光部材により制御して、照射面に所望の状態に明暗を生じさせており、配光部材を適切に予め設定して指向性のある光源からの光を適切に配光することにより、照度がそれ程必要でない領域への光を照度が必要な領域へ照射することができ、光を有効に活用することが可能となる。
【００１３】
本発明に係る照明装置は、指向性のある光源を備える照明装置において、光源の指向方向に設けられ、光源からの光を反射又は屈折させることにより配光する配光部材を備えることを特徴とする。
【００１４】
本発明にあっては、指向性のある光源からの光を、光源の指向方向に設けられた配光部材に入射させ、入射した光を所定の割合にて、配光部材にて反射させる又は屈折させつつ配光部材から出射させている。照射面において必要とされる照度に応じて、対応する領域の光透過率又は屈折率を適切に予め設定することにより、必要に応じた適切な照明が可能となる。
【００１５】
本発明に係る照明装置は、さらに、配光部材は、光透過率又は屈折率が異なる複数の領域を有しており、光透過率又は屈折率は、光源からの光が照射される照射面にて必要とされる照度に応じて夫々設定してあることを特徴とする。
【００１６】
本発明にあっては、光源の指向方向に設けられ、光源からの光が照射される照射面にて必要とされる照度に応じて夫々設定された光透過率又は屈折率の複数の領域を有する配光部材に、光源からの光を入射させ、入射した光を領域毎に所定の割合にて、配光部材にて反射させる又は屈折させつつ配光部材から出射させている。照射面において必要とされる照度に応じて、配光部材の対応する領域の光透過率又は屈折率を適切に予め設定することにより、照度がそれ程必要でない領域への光を照度が必要な領域へ照射することができ、光を有効に活用することが可能となる。
【００１７】
本発明に係る照明装置は、さらに、配光部材は光源からの光を一部反射可能に構成してあり、配光部材に対向し、配光部材にて反射された光を反射する反射体を備えることを特徴とする。
【００１８】
本発明にあっては、光源からの光の一部を配光部材にて反射させ、反射された光を反射体により反射しているから、光源からの光を均一化することができるとともに、照度がそれ程必要でない領域への光を照度が必要な領域へ効率良く照射することができ、光を有効に活用することが可能となる。
【００１９】
本発明に係る照明装置は、さらに、配光部材は、光源からの光を拡散させるように構成してあることを特徴とする。
【００２０】
本発明にあっては、光源からの光を配光部材にて拡散させつつ外部に出射させているから、照射範囲を広げることが可能となる。
【００２１】
本発明に係る照明装置は、さらに、配光部材は光拡散性を有する拡散板又は拡散シートからなることを特徴とする。
【００２２】
本発明にあっては、光源からの光を配光部材である光拡散性を有する拡散板又は拡散シートに入射させ、入射した光を拡散板又は拡散シートにて拡散させつつ外部に出射させているから、光源のグレアを緩和することできると共に、照射範囲を広げることができる。光透過率の異なる拡散板又は拡散シートを適切に設けることにより、照度がそれ程必要でない領域への光を照度が必要な領域へ照射することができ、光を有効に活用することが可能となる。
【発明の効果】
【００２３】
本願発明の照明装置によれば、光源のグレアを緩和するとともに、光源からの光を配光して照度がそれ程必要でない領域への光を照度が必要な領域へ照射して光を有効に活用することが可能である。
【発明を実施するための最良の形態】
【００２４】
以下、本発明をその実施の形態を示す図面に基づいて説明する。説明の便宜上、机上を照らす照明装置、いわゆる電気スタンドを本発明に係る照明装置の例として詳述する。
（実施の形態１）
図１は本発明の実施の形態１に係る照明装置の模式的斜視図である。
【００２５】
本発明の実施の形態１に係る照明装置は、光源を備える灯部１０と、灯部１０を支持するアーム部２０と、アーム部２０を回動可能に枢支する枢支体３０と、枢支体３０が固定された基部４０と、基部４０に設けられ、前記光源を点灯／消灯する操作及び光源の光の強度を調節する操作を受け付ける操作部５０とを備えている。
【００２６】
図２は照明装置の要部の分解斜視図であり、灯部１０の構成を略示している。図３は図１の III‐III 線による断面図である。
【００２７】
図において１は、アルミニウム、銅等の熱伝導性の優れた金属製のリアカバーであり、リアカバー１は、矩形平板形状を有している。リアカバー１の一面１ａの中央部には、該一面１ａに平行をなす細長い矩形状の凹部１１がリアカバー１の長手方向に平行をなして形成してある。またリアカバー１の周縁部には、細長い貫通孔であるスリット１２，１２…がリアカバー１の長手方向に平行をなして形成してある。リアカバー１の他面１ｂには、図１に示すように、凹部１１に対応する中央部を除く略全面にリアカバー１の長手方向に平行をなして他面１ｂに直交する方向に突出する凸部１３，１３…が形成してある。これにより表面積が大きくなるから、後述する光源からの熱を効率良く外部に放熱することができる。
【００２８】
リアカバー１の凹部１１には、複数（図において４つ）のＬＥＤモジュール２，２…が配設してある。ＬＥＤモジュール２，２…は、矩形のセラミック基板と、該セラミック基板の一面の中央部に密集して実装された複数（例えば、３６個）のＬＥＤ素子と、該複数のＬＥＤ素子を封止し、蛍光体が分散された封止樹脂と、入力及び出力端子とを備えてなる。前記セラミック基板の対向する２隅には、貫通孔２１，２１が設けてある。これらＬＥＤモジュール２，２…は、ＬＥＤモジュール２，２…の２隅に夫々設けられた貫通孔２１，２１に挿通したネジによりリアカバー１の凹部１１…に固定してある。なお、ＬＥＤモジュール２，２…とリアカバー１との間には、熱伝導シート又はグリースを介装する方が望ましい。
【００２９】
またリアカバー１には、反射体３が設けてある。反射体３は、一面全面開口の筐体であり、凹部１１と略同形状の矩形窓を有する矩形平板状の固定板３１と、該固定板３１の長辺側の端縁から斜め外向きに延び、固定板３１に略直交する方向に屈曲成形された長辺側壁３２，３２と、固定板３１の短辺側の端縁から固定板３１に略直交する方向に延びる短辺側壁３３，３３とを備えてなる。固定板３１には、長手方向の両端側に、夫々貫通孔３１ａ，３１ａが設けてある。この反射体３は、固定板３１の外面をリアカバー１の一面１ａに当接させて、貫通孔３１ａ，３１ａに挿通したネジによりリアカバー１に固定してある。これにより、ＬＥＤモジュール２，２…を囲繞するように反射体３が設けられることになる。なお、反射体３は、ステンレス等の金属、反射率の高い塗料を塗布された金属又は高全反射率（約９８％）及び高拡散反射率（約９５％）という光学特性を有する超微細発泡光反射材（例えば、ＭＣＰＥＴ（登録商標））により形成されている。
【００３０】
このようなリアカバー１は、アルミニウム、銅等の金属製のフレーム４に固定してあり、リアカバー１及びフレーム４により照明装置の灯部１０の外装材を構成している。
【００３１】
フレーム４は、中空の略四角錐台形状の外形を有しており、反射体３の固定板３１よりも大きい略矩形状の開口を有し、リアカバー１の一面１ａと略同一寸法の略矩形をなす一面と、該一面の長辺側及び短辺側の端縁から前記一面に直交する方向よりも内向きに鋭角をなして夫々延びる第１の長辺側壁４１，４１及び第１の短辺側壁４２、４２を有する外周壁と、前記開口の長辺側及び短辺側の周縁から前記一面に直交する方向に夫々延びる第２の長辺側壁４３，４３及び第２の短辺側壁４４、４４を有する内周壁と、前記一面と平行をなし、外周壁と内周壁とを連設する他面４５とを備えている。
【００３２】
フレーム４の第２の長辺側壁４３，４３間の間隔は、これら第２の長辺側壁４３，４３の内面が反射体３の長辺側壁３２，３２の外面に当接するように、反射体３の長辺側壁３２，３２間の間隔と略同一になるようにしてある。
【００３３】
このようなフレーム４の第１の長辺側壁４１，４１と第２の長辺側壁４３，４３との間には、第１の長辺側壁４１，４１及び第２の長辺側壁４３，４３に直角をなす補強板４１ａ，４１ａ…が、長手方向に適長離隔して設けてある。これら２重の周壁と補強板４１ａ，４１ａ…により、フレーム４の撓みを防止することができる。
【００３４】
フレーム４の第１の長辺側壁４１，４１には、細長い貫通孔であるスリット４６，４６…が第１の長辺側壁４１，４１の長手方向に平行をなして、適長離隔した４カ所に夫々形成してある。フレーム４の長手方向の一端には、台形状の貫通孔４７が設けてある。また、フレーム４の他面４５の長手方向の両端側には、細長い貫通孔であるスリット４８，４８…が長手方向に平行をなして夫々形成してある。なお、これらスリット４６，４６…，４８，４８…は、フレーム４にリアカバー１を固定したときにリアカバー１に形成したスリット１２，１２…の位置に整合するように、夫々形成してある。
【００３５】
またフレーム４の第２の長辺側壁４３，４３の他面４５の逆側には、外周壁に形成されたスリット４６，４６…に整合するように、切り欠き部４３ａ，４３ａ…が形成してある。
【００３６】
さらにフレーム４の第２の短辺側壁４４、４４の内面には、該内面に直交する方向に突出し、組立状態にて反射体３の開放端と略面一となるように形成された取付面を有する取付部４９，４９が夫々設けてあり、該取付部４９，４９には、ネジ穴が夫々形成してある。
【００３７】
このように構成されたフレーム４の他面４５の側には、該他面４５の開口と略同一形状の矩形をなし、拡散剤が添加された乳白色の樹脂製である光拡散性を有する拡散板５が設けてある。拡散板５は、ＬＥＤモジュール２，２…からの光を配光する配光部材として以下のように構成されている。
【００３８】
図４は、拡散板５の概念図である。拡散板５は、細長い矩形状を有し、高透過率（例えば、８０％）の拡散板５１と、同じく細長い矩形状を有し、低透過率（例えば、６０％）の拡散板５２とを長辺の側にて接合させることにより、前述の如く矩形状を有する一枚板にしてある。拡散板５１，５２に入射する光は、拡散板５１，５２中に添加された拡散剤によって拡散され、所定の光透過率にて夫々外部に出射される。
【００３９】
この拡散板５の長手方向の両端部には、フレーム４に取付けたときに取付部４９，４９に形成されたネジ穴と整合するように貫通孔（図示せず）が夫々形成してあり、拡散板５は、該拡散板５に形成された貫通孔に挿通したネジをフレーム４の取付部４９，４９に形成したネジ穴に螺合することによりフレーム４に固定してある。これにより、フレーム４の他面４５の開口は拡散板５により閉止され、ＬＥＤモジュール２，２…は、リアカバー１、反射体３、フレーム４及び拡散板５により形成される閉じた空間内に配置されることになる。
【００４０】
なお、ＬＥＤモジュール２，２…にて発生した熱は、リアカバー１に伝達されるとともに、リアカバー１、反射体３、フレーム４及び拡散板５により形成される空間内の空気及びリアカバー１を介して反射体３及びフレーム４に伝達される。この熱により、リアカバー１、反射体３及びフレーム４により形成される空間内の空気は、暖められてリアカバー１に形成されたスリット１２，１２…から外部に流出する一方、フレーム４に形成されたスリット４６，４６…，４８，４８…から外部の空気が流入する。この自然対流により、灯部１０内に高温の空気が篭り、ＬＥＤモジュール２，２…が発した熱の放熱を妨害する問題を緩和することができる。
【００４１】
このような灯部１０には、四角筒をＬ字状に屈曲成形してなるアーム部２０が一端の側をフレーム４の長手方向の一端に設けられた貫通孔４７に挿入した状態にて取付けてあり、アーム部２０の他端は枢支体３０に回動可能に枢支されている。
【００４２】
照明装置の内部には、ＬＥＤモジュール２，２…の制御回路、駆動回路等が形成された回路基板（図示せず）が配してある。
【００４３】
図５は、実施の形態１に係る照明装置のＬＥＤモジュール２，２…の制御系の構成を示すブロック図である。回路基板には、電源回路部６１が形成してあり、電源回路部６１は、外部電源から供給された交流電流を直流電流に整流する。
【００４４】
電源回路部６１には、同じく回路基板に形成された制御部６及び駆動回路部６２が夫々接続されており、電源回路部６１は、制御部６及び駆動回路部６２に直流電流を夫々供給する。
【００４５】
また制御部６には、操作部５０が接続されており、操作部５０からの信号が与えられている。制御部６は、操作部５０から与えられた信号に応じて、ＬＥＤモジュール２，２…の点灯及び消灯の切替え並びに点灯時の光の強度を調節すべく決定されたパルス信号を生成する。
【００４６】
また制御部６には、駆動回路部６２が接続されており、制御部６は、駆動回路部６２にパルス信号を与える。駆動回路部６２は、スイッチング素子を備えており、制御部６から与えられたパルス信号に応じてスイッチング素子を開閉する動作をなす。この結果、ＬＥＤモジュール２，２…には、スイッチング素子の開閉動作に応じたパルス状の電流が供給され、ＬＥＤモジュール２，２…は、電流の供給に応じて点灯する。ＬＥＤモジュール２，２…の明るさは、この供給された電流の平均値により定まる。なお、スイッチング素子のスイッチング周波数は、ＬＥＤモジュール２，２…の消灯を視覚的に認識できない高い周波数になるように定められている。
【００４７】
このように操作部５０の操作に応じて点灯するＬＥＤモジュール２，２…からの光は、図３中に矢符にて示すように、拡散板５１，５２に夫々入射する。拡散板５１に入射した光は、大部分が拡散板５１にて散乱されつつ透過して外部に出射する一方、一部が拡散板５１にて反射され、反射された光は反射体３にて更に反射されて拡散板５１，５２に入射する。拡散板５２に入射した光は、一部が拡散板５２にて散乱されつつ、透過して外部に出射する一方、残部が拡散板５２にて反射され、反射された光は反射体３にて更に反射されて拡散板５１，５２に入射する。前述したように、拡散板５２よりも拡散板５１の方が高透過率であるから、ＬＥＤモジュール２，２…からの光は、拡散板５２よりも拡散板５１を透過して外部に出射される方が多くなる。よって、照射面において明暗を生じさせる事が可能であり、照度が必要な場所（例えば手元付近）の照度を増すことが可能となる。また、一部の箇所の照度を増す事により、照度が低く照射範囲に含まれていなかった範囲においても照度の確保が可能となり、照射範囲を広げることができる。
【００４８】
図６は、実施の形態１における照明装置の配光の態様を模式的に示す図であり、机上の一隅に置かれた照明装置を上から見た図である。図中９０は、矩形をなす天板を有する机であり、該机９０には、図に示すように、拡散板５１の側を人が座る側（図において下側）になるように照明装置を配置してある。この結果、ＬＥＤモジュール２，２…からの光が照射される机上の照射領域は、灯部１０を中心にして均等に広がるのではなく、図６中に二点鎖線にて示す如く、高透過率の拡散板５１に対応する人が座る側の照射領域の方が広くなる。人が座る側を明るく照らし、後ろ側（図において上側）をあまり明るく照らす必要のない電気スタンドにおいて、後ろ側への光を人が座る側へ照射するように配光することができると共に、ＬＥＤモジュール２，２…の数を増加することなく、人が座る側を十分明るく照らすことができる。このように本発明に係る照明装置においては、照度がそれ程必要でない領域への光を照度が必要な領域へ照射するように配光することができ、光を有効に活用することができる。
【００４９】
また拡散板５１，５２に入射する光が拡散板５１，５２に含まれる拡散剤により拡散されるから、指向性のあるＬＥＤモジュール２，２…からの光の照射範囲を広げつつ光を和らげることができ、グレアを緩和することができる。
【００５０】
さらにＬＥＤモジュール２，２…からの光が拡散板５１，５２にて一部反射され、反射体３にて更に反射されて拡散板５１，５２に入射するように構成してあるから、指向性のあるＬＥＤモジュール２，２…からの光を均一化することができると共に、照度がそれ程必要でない領域への光を照度が必要な領域へ効率良く照射することができ、光を有効に活用することができる。
【００５１】
さらにＬＥＤモジュール２，２…を囲繞する反射体３の開口を閉止するように拡散板５１，５２を設けているから、別途グローブを設ける必要がない。
【００５２】
（実施の形態２）
図７は、実施の形態２に係る照明装置の灯部の断面図である。フレーム４の他面４５の側には、該他面４５の開口と略同一形状の矩形をなすポリカーボネート樹脂製のグローブ７が設けてある。これにより、フレーム４の他面４５の開口はグローブ７により閉止され、ＬＥＤモジュール２，２…は、リアカバー１、反射体３、フレーム４及びグローブ７により形成される閉じた空間内に配置されることになる。
【００５３】
このグローブ７の内面には、該内面の略全面に亘って光拡散性を有する拡散シート８１が設けられている。またグローブ７の内面には、該内面の略半分の領域に亘って、拡散シート８１に重ねて光拡散性を有する拡散シート８２が設けてある。このように設けられた拡散シート８１，８２は、以下に述べるようにＬＥＤモジュール２，２…からの光を配光する配光部材として機能する。なお、本実施の形態において用いている拡散シート８１，８２は、液晶ディスプレイのバックライトの導光板に使用される拡散フィルム（製品名：ライトアップ１００ＰＢＵ）であり、全光線透過率が約６６％である。その他の構成は、図３に示す実施の形態１と同様であるため、対応する構成部材に図３と同一の参照符号を付して、その構成及び動作の詳細な説明を省略する。
【００５４】
ＬＥＤモジュール２，２…からの光は、図７中に矢符にて示すように、拡散シート８１，８２に夫々入射する。拡散シート８１に入射した光は、大部分の光が拡散シート８１にて拡散されつつ透過して外部に出射する一方、透過しなかった残りの光が拡散シート８１にて反射され、反射された光は反射体３にて更に反射されて、再度拡散シート８１，８２に入射する。拡散シート８２に入射した光は、二重にされた拡散シート８１，８２にて一部が散乱されつつ、透過して外部に出射する一方、さらに透過しなかった光の残部が拡散シート８１，８２にて反射され、反射された光は反射体３にて更に反射されて拡散シート８１，８２に入射する。二重にされた拡散シート８１，８２よりも一重の拡散シート８１の方が高透過率であるから、ＬＥＤモジュール２，２…からの光は、一重の拡散シート８１が設けられた側のグローブ７を透過して外部に出射される方が多くなる。
【００５５】
よって、配光部材においての反射と反射体３での反射を繰り返す事により、配光を制御して、照度が必要とされる方向に照射される光の量を増やす事が可能となる。
【００５６】
以上のように構成された本実施の形態に係る照明装置においては、実施の形態１に係る照明装置と同様に、照度がそれ程必要でない領域への光を照度が必要な領域へ照射するように配光を制御することができ、光を有効に活用することができる。
【００５７】
また拡散シート８１，８２に入射する光が拡散シート８１，８２に含まれる屈折率の高い粒子により拡散されるから、指向性のあるＬＥＤモジュール２，２…からの光の照射範囲を広げつつ光を和らげることができ、グレアを緩和することができる。
【００５８】
さらにＬＥＤモジュール２，２…からの光が拡散シート８１，８２にて一部反射され、反射体３にて更に反射されて拡散シート８１，８２に入射するように構成してあるから、指向性のあるＬＥＤモジュール２，２…からの光を均一化することができると共に、照度がそれ程必要でない領域への光を照度が必要な領域へ効率良く照射することができ、光を有効に活用することができる。
【００５９】
さらに配光部材として膜状の拡散シート８１，８２を用いているから、照明装置が設置される場所及び／又は用途に応じて必要とされる所定照度の照射領域の形状に対応して、拡散シート８１，８２を設ける領域を自在に決定することができる。
【００６０】
なお本実施の形態においては、拡散シート８２の拡散シート８１と重なり合う領域を照明装置組立後においては変更できないように構成してあるが、これに限定されず、拡散シート８２をグローブ７の内面に沿って移動させることが可能な可動手段を設け、拡散シート８２の拡散シート８１と重なり合う領域を照明装置組立後においても変更可能なように構成してもよい。
【００６１】
なお以上の実施の形態においては、配光部材として２つの拡散板又は拡散シートを用いて、異なる光透過率を有する２つの領域を形成するように構成しているが、領域は２つに限定されず、照明装置が設置される場所及び／又は用途に応じて、３つ以上の複数の異なる光透過率及び／又は屈折率の領域を形成するように構成してもよい。よって、さらに配光の細かい制御が可能となる。
【００６２】
また以上の実施の形態においては、配光部材として拡散板又は拡散シートを用いた場合について説明したが、これに限定されず、光源からの光を配光することが可能な種々の材料を用いることができる。例えば、光を反射する反射板を配光部材として用いてもよいし、光を屈折させるプリズムシートを用いてもよい。
【００６３】
また以上の実施の形態においては、光源からの光を配光する配光部材を、机上を照らす照明装置、いわゆる電気スタンドに適用した場合について説明したが、これに限定されない。配光部材は、例えば、天井直付けの照明装置、所謂シーリングライト等の照明装置にも適用可能である。さらに配光部材は、例えば、部屋に複数の照明装置を設置し、部屋の一部の領域のみを明るく照明したい場合、窓際に設置した照明装置の指向性を制御して部屋の内部を明るく照明したい場合等にも適用可能である。
【００６４】
また以上の実施の形態において、光源としてＬＥＤを用いた照明装置を例示したが、光源はＬＥＤに限定されず、白熱電球、ＥＬ（ｅｌｅｃｔｒｏｌｕｍｉｎｅｓｃｅｎｃｅ）等の光源であっても、グレアを感じる程度の指向性の強さがあればよい。さらに、本発明は、その他、特許請求の範囲に記載した事項の範囲内において種々変更した形態にて実施することが可能であることは言うまでもない。
【図面の簡単な説明】
【００６５】
【図１】本発明の実施の形態１に係る照明装置の模式的斜視図である。
【図２】照明装置の要部の分解斜視図である。
【図３】図１の III‐III 線による断面図である。
【図４】拡散板の概念図である。
【図５】実施の形態１に係る照明装置のＬＥＤモジュールの制御系の構成を示すブロック図である。
【図６】実施の形態１における照明装置の配光の態様を模式的に示す図である。
【図７】実施の形態２に係る照明装置の灯部の断面図である。
【図８】特許文献１に記載の従来の照明器具の概念図である。
【符号の説明】
【００６６】
１  リアカバー
２  ＬＥＤモジュール（光源）
３  反射体
４  フレーム
５，５１，５２  拡散板（配光部材）
８１，８２  拡散シート（配光部材）
【図１】
2009048955.tif 000003
【図２】
2009048955.tif 000004
【図３】
2009048955.tif 000005
【図４】
2009048955.tif 000006
【図５】
2009048955.tif 000007
【図６】
2009048955.tif 000008
【図７】
2009048955.tif 000009
【図８】
2009048955.tif 000010